(57)【要約】【課題】畜舎内の下方空間の換気構造を簡易なものとする。【解決手段】樹脂製の筒状筐体２と、下方に糞尿溜め空間７が形成されるように筒状筐体２内に水平状に設置され、家畜の糞尿の落下孔を形成した家畜載置用の床材５と、筒状筐体２の内壁面を支持する補強部材１３と、を備えた畜舎１であって、補強部材１３は、内部に中空閉断面のダクト空間を有するように形成され、このダクト空間は上部開口１５を通して筒状筐体２の外部に連通するとともに下部開口１６を通して筒状筐体２の内部に連通し、前記ダクト空間を介して筒状筐体２の内外の換気が行われる。【選択図】図１
0003143154.tif 000002
【実用新案登録請求の範囲】
【請求項１】
樹脂製の筐体と、
下方に糞尿溜め空間が形成されるように前記筐体内に水平状に設置され、家畜の糞尿の落下孔を形成した家畜載置用の床材と、
上下方向に延設され、筐体の内壁面を支持する補強部材と、
を備えた畜舎であって、
前記補強部材は、内部に延設方向に沿う中空閉断面のダクト空間を有するように形成され、このダクト空間は上部開口を通して前記筐体の外部に連通するとともに下部開口を通して前記筐体の内部に連通し、
前記ダクト空間を介して筐体の内外の換気が行われることを特徴とする畜舎。
【請求項２】
前記下部開口は前記床材よりも下方に位置していることを特徴とする請求項１に記載の畜舎。
【請求項３】
前記筐体は、筒軸方向を横方向として設置される円筒筐体からなり、
前記補強部材は、前記円筒筐体の円周方向に沿って形成され、
前記上部開口は、前記円筒筐体の外周壁面から突出する換気管からなり、
この換気管は、鉛直方向に沿う前記外周壁面の接線よりも左右外側に突出しないように設けられていることを特徴とする請求項１または請求項２に記載の畜舎。
【請求項４】
筒軸方向を横方向として設置される樹脂製の円筒筐体と、
前記円筒筐体内において水平状に設置される床材支持フレームと、
前記床材支持フレーム上に設置され、家畜の糞尿の落下孔を形成した家畜載置用の床材と、
を備えた畜舎であって、
前記床材支持フレームは、前記筒軸方向に間隔を空けて並設され、前記筒軸方向と直交する方向に延設される第１床材支持フレームと、この第１床材支持フレームと直交するように並設され、前記筒軸方向に延設される第２床材支持フレームとから構成され、
前記第１床材支持フレームは、上部に複数のスリットが切り欠き形成されるとともに、両端部が前記円筒筐体の内周壁面に固定され、
前記第２床材支持フレームは、前記スリットに落とし込まれることにより前記第１床材支持フレームに載置されることを特徴とする畜舎。
【請求項５】
前記第１床材支持フレームおよび第２床材支持フレームは樹脂製であり、
前記第１床材支持フレームは、前記筒軸方向と直交する水平方向から見た断面形状が中空閉断面部を有することを特徴とする請求項４に記載の畜舎。
【請求項６】
樹脂製の筐体と、
下方に糞尿溜め空間が形成されるように前記筐体内に水平状に設置され、家畜の糞尿の落下孔を形成した家畜載置用の床材と、
前記筐体に形成される開閉ドア付の人の出入り口と、
を備えた畜舎であって、
前記出入り口に、前記開閉ドアとは別に、出入り口の下部のみ閉塞して家畜の逃げを防止する柵部材をスライド着脱自在に設けたことを特徴とする畜舎。
【請求項７】
前記柵部材は、鉄棒が埋め込まれた樹脂板から構成されることを特徴とする請求項６に記載の畜舎。
【請求項８】
通常時は非常換気口を閉じ、非常時に開いて外気による舎内の換気を行う開閉体を有する非常換気装置を備えた畜舎であって、
前記非常換気装置は、通常時に一定水位が保たれる水タンクと、前記開閉体自体或いは前記開閉体に係止する開閉用留め具と連結し、前記水タンク内に浮く浮き子とを備え、
前記開閉体は、通常時は前記浮き子が一定水位の水タンクに浮くことにより前記非常換気口を閉じ、非常時は前記水タンクから水が抜かれて前記浮き子が下降することによりその下降動作に連動して前記非常換気口を開く構成としたことを特徴とする畜舎。
【請求項９】
前記開閉体自体或いは前記開閉体に係止する開閉用留め具と前記浮き子とはワイヤで連結されることを特徴とする請求項８に記載の畜舎。
【請求項１０】
前記水タンクに連通する給水路側に設けられ、通常時は開いて給水を可能とし、停電時に閉じて給水を遮断する第１弁と、
前記水タンクに連通する排水路側に設けられ、通常時は閉じて排水を遮断し、停電時に開いて排水を行う第２弁と、
を備えることを特徴とする請求項８または請求項９に記載の畜舎。
【請求項１１】
冷却水の散水を受けている濾材間に空気を通過させて空気を冷却し、この冷却した空気を畜舎内に給気する冷風給気システムを備えたことを特徴とする畜舎。
【請求項１２】
畜舎内の空気を、散水を受けている濾材間に通過させて大気に排気する排気処理システムを備えたことを特徴とする畜舎。
【考案の詳細な説明】
【技術分野】
【０００１】
本考案は、特に豚舎として好適な畜舎に関する。
【背景技術】
【０００２】
ウィンドウレスタイプの豚舎に関する従来技術として本出願人が出願した特許文献１が挙げられる。このタイプは換気部を除くとほぼ密閉構造となるため舎内の保温性に優れ、寒気に弱い子豚用の豚舎に適している。特許文献１に記載の豚舎は筐体がＦＲＰなどの樹脂製部材として構成され、設備費用が安価になる、糞尿の清掃が容易になる、糞尿から発生する硫化水素ガスやアンモニアガスなどに対する耐腐食性に優れる、等の効果が奏される。
【０００３】
糞尿から発生する硫化水素ガスやアンモニアガスなどは豚舎内の下方空間に淀みやすいため、豚舎内外の換気構造としては特にこの下方空間の排気が効率的に行われる構造が望ましく、特許文献１には、床材の下方において水平に延設させた吸気管により下方空間の排気を行う技術が記載されている。
【０００４】
また、ウィンドウレスタイプの豚舎では、通常時に稼動している換気扇などの吸気ファンが停電により止まると、内部が密閉されているために豚が酸欠により死んでしまう。そのためウィンドウレスタイプの豚舎には、通常時に稼動させる給気ファンとは別に、停電など非常時の換気機能を担う非常換気装置が設けられている。
【０００５】
従来の非常換気装置で多く採用されている構造は、通常時には、非常換気用の開口部を、電磁ソレノイドと連動する開閉金具を用いて開閉体で塞いでおき、停電時には、電磁ソレノイドの通電がきれることを利用して開閉金具を動かして開閉体の係止を解き、開閉体をその自重により落下させて非常換気用の開口部を開放するというものであり、その具体例が特許文献２に記載されている。
【特許文献１】特開２００８−７９５９９号公報（段落［００６２］〜［００６４］）
【特許文献２】実開平６−４６４５２号公報
【考案の開示】
【考案が解決しようとする課題】
【０００６】
しかしながら、前記吸気管を設ける構造は部品点数が多くなるため製造コストが嵩み、豚舎の筐体が長い場合には長尺の吸気管となるため、吸気管を水平状に支持する支持構造も複雑となり、組み付けにも手間がかかる。
【０００７】
また、豚舎の筐体が長い場合には、金網などからなる床材の面積も広くなって床材を支持する支持部も多数必要となるので、できるだけ床材の支持部の組み付けは簡略化されることが望ましい。
【０００８】
また、特許文献２の技術に代表されるように開閉金具を電磁ソレノイドと機械的に連結する構造では、電磁ソレノイドの配設位置が非常換気用の開口部近辺に限られてしまうために硫化水素ガスやアンモニアガスにさらされやすくなり、長期にわたってさらされると、電磁ソレノイドが腐食して可動部が固着し、停電時の動作機能に支障をきたすおそれがある。
【０００９】
さらに、夏季などに豚舎内の温度が上昇した場合には人の出入り口の開閉ドアを開放して通気を行うことが望ましく、この際、出入り口から豚が逃げないようにする必要がある。
【００１０】
本考案は以上のような課題を解決するために創作されたものであり、畜舎内の下方空間の換気構造や床材の支持部の組み付け構造が簡易となり、また、停電など非常時の換気機能が長期にわたり確実に維持される非常換気装置を備えた畜舎、さらには、通気などの目的で人の出入り口の開閉ドアを開放しておく際の家畜の逃げを防止できる畜舎を提供することを目的としている。
【課題を解決するための手段】
【００１１】
前記課題を解決するため、本考案は、樹脂製の筐体と、下方に糞尿溜め空間が形成されるように前記筐体内に水平状に設置され、家畜の糞尿の落下孔を形成した家畜載置用の床材と、上下方向に延設され、筐体の内壁面を支持する補強部材と、を備えた畜舎であって、前記補強部材は、内部に延設方向に沿う中空閉断面のダクト空間を有するように形成され、このダクト空間は上部開口を通して前記筐体の外部に連通するとともに下部開口を通して前記筐体の内部に連通し、前記ダクト空間を介して筐体の内外の換気が行われることを特徴とする。
【００１２】
本考案によれば、筐体内の下方に淀みやすい硫化水素ガスやアンモニアガスなどが補強部材のダクト空間を介して外部に排気される。筐体の内壁面を支持する補強部材が換気ダクトの機能も兼ねるため、部品点数の低減が図れ、換気専用の部材を組み付ける必要がなくなるので、畜舎の組み付け工数が簡略化される。
【００１３】
また、本考案は、前記下部開口は前記床材よりも下方に位置していることを特徴とする。
【００１４】
本考案によれば、硫化水素ガスやアンモニアガスなどが特に溜まりやすい床材よりも下方の空間の換気を行うことができる。
【００１５】
また、本考案は、前記筐体は、筒軸方向を横方向として設置される円筒筐体からなり、  前記補強部材は、前記円筒筐体の円周方向に沿って形成され、前記上部開口は、前記円筒筐体の外周壁面から突出する換気管からなり、この換気管は、鉛直方向に沿う前記外周壁面の接線よりも左右外側に突出しないように設けられていることを特徴とする。
【００１６】
円筒筐体の直径は、トラックやトレーラーの荷台に載せて輸送する際に、荷台の幅以内とする道路法規の制約を受ける。円筒筐体の直径を荷台の幅ぎりぎりとした場合であっても、本考案によれば、換気管が荷台からはみ出ることはない。したがって、換気管を組み付けた状態でトラックやトレーラーにより現地まで輸送できる。
【００１７】
また、本考案は、筒軸方向を横方向として設置される樹脂製の円筒筐体と、前記円筒筐体内において水平状に設置される床材支持フレームと、前記床材支持フレーム上に設置され、家畜の糞尿の落下孔を形成した家畜載置用の床材と、を備えた畜舎であって、前記床材支持フレームは、前記筒軸方向に間隔を空けて並設され、前記筒軸方向と直交する方向に延設される第１床材支持フレームと、この第１床材支持フレームと直交するように並設され、前記筒軸方向に延設される第２床材支持フレームとから構成され、前記第１床材支持フレームは、上部に複数のスリットが切り欠き形成されるとともに、両端部が前記円筒筐体の内周壁面に固定され、前記第２床材支持フレームは、前記スリットに落とし込まれることにより前記第１床材支持フレームに載置されることを特徴とする。
【００１８】
本考案によれば、円筒筐体に対する床材支持フレームの組み付けを迅速かつ簡易に行えるため、畜舎の製作コストの低減が図れる。
【００１９】
また、本考案は、前記第１床材支持フレームおよび第２床材支持フレームは樹脂製であり、前記第１床材支持フレームは、前記筒軸方向と直交する水平方向から見た断面形状が中空閉断面部を有することを特徴とする。
【００２０】
本考案によれば、第２床材支持フレームが中空閉断面部を有することにより、床材支持フレーム全体の強度を簡易な構造で高めることが可能となる。
【００２１】
また、本考案は、樹脂製の筐体と、下方に糞尿溜め空間が形成されるように前記筐体内に水平状に設置され、家畜の糞尿の落下孔を形成した家畜載置用の床材と、前記筐体に形成される開閉ドア付の人の出入り口と、を備えた畜舎であって、前記出入り口に、前記開閉ドアとは別に、出入り口の下部のみ閉塞して家畜の逃げを防止する柵部材をスライド着脱自在に設けたことを特徴とする。
【００２２】
本考案によれば、柵部材により家畜の逃げを防止できるので、夏季など、畜舎内の温度が上昇したときには人の出入り口の開閉ドアを開放して通気を行うことができる。
【００２３】
また、本考案は、前記柵部材は、鉄棒が埋め込まれた樹脂板から構成されることを特徴とする。
【００２４】
家畜が豚である場合、豚は勢いを付けて柵部材に衝突するおそれがあるため、鉄棒を埋め込んだ樹脂板とすることで柵部材の剛性を容易に高めることができ、柵部材の損傷を防止できる。
【００２５】
また、本考案は、通常時は非常換気口を閉じ、非常時に開いて外気による舎内の換気を行う開閉体を有する非常換気装置を備えた畜舎であって、前記非常換気装置は、通常時に一定水位が保たれる水タンクと、前記開閉体自体或いは前記開閉体に係止する開閉用留め具と連結し、前記水タンク内に浮く浮き子とを備え、前記開閉体は、通常時は前記浮き子が一定水位の水タンクに浮くことにより前記非常換気口を閉じ、非常時は前記水タンクから水が抜かれて前記浮き子が下降することによりその下降動作に連動して前記非常換気口を開く構成としたことを特徴とする。
【００２６】
本考案によれば、開閉体の開閉機構として水を介在させることにより、家畜の糞尿から発生する硫化水素ガスやアンモニアガスによる腐食の影響を何ら受けることなく、長期にわたり非常時における開閉体の開動作を確実に行うことができる。水の配管などを延設させることで、排水動作を行う電磁弁などを非常換気口から容易に遠ざけることができるため、これら電磁弁の腐食の問題が解消される。
【００２７】
また、本考案は、前記開閉体自体或いは前記開閉体に係止する開閉用留め具と前記浮き子とはワイヤで連結されることを特徴とする。
【００２８】
本考案によれば、簡易な構造の非常換気装置となる。
【００２９】
また、本考案は、前記水タンクに連通する給水路側に設けられ、通常時は開いて給水を可能とし、停電時に閉じて給水を遮断する第１弁と、前記水タンクに連通する排水路側に設けられ、通常時は閉じて排水を遮断し、停電時に開いて排水を行う第２弁と、を備えることを特徴とする。
【００３０】
本考案によれば、停電時における水タンクの排水動作を簡易な構造で実現できる。
【００３１】
また、本考案では、冷却水の散水を受けている濾材間に空気を通過させて空気を冷却し、この冷却した空気を畜舎内に給気する冷風給気システムを備えたことを特徴とする。
さらに、畜舎内の空気を、散水を受けている濾材間に通過させて大気に排気する排気処理システムを備えたことを特徴とする。
【考案の効果】
【００３２】
本考案によれば、（１）畜舎内の下方空間の換気構造が簡易となる、（２）畜舎内の床材の支持部の組み付け構造が簡易となる、（３）非常換気装置において、停電など非常時の換気機能が長期にわたり確実に維持される、（４）通気などの目的で人の出入り口の開閉ドアを開放しておく際、家畜の逃げを防止できる、などの効果が奏される。
【考案を実施するための最良の形態】
【００３３】
図１および図２はそれぞれ本考案を適用した畜舎の一例を示す外観斜視図、側断面図である。畜舎１は、筒軸方向が横方向となるように設置された、閉断面で一定形状断面の筒状筐体２を主な外郭部材として構成されており、両端は円板形状の側壁３によって閉塞されている。畜舎１内には子豚などが収容される。筒状筐体２は例えば断面円形を呈した円筒部材として構成される。断面円形の筒状筐体２を地面に載置するに当たっては、下部周りを地中に埋めてもよいし、筒状筐体２の下部外面側に、筒状筐体２の姿勢を維持する取り付け台座４を形成してもよい。
【００３４】
筒状筐体２の寸法は、収容する家畜数にもよるが、例えば子豚５０〜１００頭程度を収容する場合、外径約２．５メートル、長さ約１０メートル程度とする。筒状筐体２は樹脂製であり、その板厚としては、例えば数ミリメートル〜十数センチメートル程度である。また、筒状筐体２の内壁面は特に、糞尿がこびり付きにくいように鏡面状に形成されている。
【００３５】
樹脂製の筒状筐体２の具体例としては、ＦＲＰ（繊維強化プラスチック）パイプが好適である。ＦＲＰパイプとしては、ガラスロービングに樹脂を含浸させながら型に巻きつけて成形する、いわゆるフィラメントワインディング製法で製造したものを用いることができる。この場合、いわゆる型の外側に巻きつける外巻き式で製造されたものでもよいし、型の内側に巻きつける内巻き式で製造されたものでもよい。また、筒状筐体をＦＲＰパイプから構成する場合、前記したフィラメントワインディング製法によるものの他に、金型に半硬化状態のＦＲＰシートを巻きつけてパイプ状に成形する、いわゆるシートワインディング製法で製造されたものを使用することもできる。側壁３もＦＲＰ等の樹脂材から構成することが望ましい。筒状筐体２をＦＲＰパイプから構成することで安価で高強度の筐体となる。
【００３６】
筒状筐体２の内部の下方には家畜載置用の床材５が水平状に設置され、例えば、筒状筐体２の内壁面下端から５０〜８０センチメートル程度上方に設置される。床材５は、概ね筒状筐体２の内部全長にわたって設置されており、筒状筐体２の内部空間を上方の家畜収容空間６と下方の糞尿溜め空間７とに区画する。床材５には、家畜の糞尿を糞尿溜め空間７に落下させるために落下孔が全面にわたって形成されている。床材５の具体例としてはスノコや打抜き金網等であり、そのスリットや網目が前記落下孔に相当する。家畜収容空間６には清掃時や給餌時に人が入るので、床材５から筒状筐体２の断面中央上端までの室内高さは１．７メートル以上であることが好ましく、１．８メートル程度以上であることがより好ましい。これにより、腰をかがめることなく清掃等を行えるので、畜舎１内における諸作業の利便性が向上する。
【００３７】
各側壁３の中央部には開閉ドア８が取り付けられた人の出入り口８Ａが形成され、各開閉ドア８の上方には外気を取り込む給気ファン９が取り付けられている。この給気ファン９は常時回転して舎内に外気を取り込んで換気を行う。符号１０は防雨カバーである。家畜収容空間６の上部には、両給気ファン９に接続した給気ダクト１１が設けられており、この給気ダクト１１に形成された複数の給気口１１ａ（図２）から外気が舎内に送風される。給気口１１ａは筒状筐体２の上部の内壁面に臨むように穿たれており、これにより、風は寒気に弱い子豚に直接送風されることなく、一旦筒状筐体２の上部に送風されたうえで曲面からなる内壁面に沿って下方に送られる。また、側壁３には畜舎１内の糞尿を集めて図示しない処理装置などへ排出する集尿ピット１８が設けられる。
【００３８】
筒状筐体２の強度を上げる目的で、筒状筐体２には上下方向に延設され、具体的には円周方向に延設されて内壁面を支持する補強部材１２、１３が内嵌されている。補強部材１２、１３の数は適宜に決定される。補強部材１２、１３は例えばＦＲＰなどの樹脂部材からなり、一方の補強部材１２は例えば断面Ｌ字形状を呈している。
【００３９】
図３において、（ａ）は筒状筐体２の正断面図であり、（ｂ）、（ｃ）、（ｄ）はそれぞれ（ａ）におけるＡ−Ａ断面図、Ｂ−Ｂ断面図、Ｃ−Ｃ断面図である。他方の補強部材１３は、内部に延設方向（筒状筐体２の円周方向）に沿う中空閉断面のダクト空間１４を有するように形成される。このダクト空間１４は上部開口１５を通して筒状筐体２の外部に連通するとともに下部開口１６を通して筒状筐体２の内部に連通する。補強部材１３の形状の一例としては、上部が筒状筐体２の内壁面に沿って円環状に形成され、下部が床材５（図１、図２）よりも下方の位置で水平状に延設される。この補強部材１３の水平延設部の上面は床材５と面一状となるように位置する。
【００４０】
補強部材１３の頂上部周りは図３（ｂ）に示すように断面Ｌ字形状を呈しており、それ以外は図３（ｃ）、（ｄ）に示すように内部に中空閉断面のダクト空間１４を有するボックス形状となっている。下部開口１６は、例えば補強部材１３の下部の水平部に穿設された通気孔１６Ａからなる。通気孔１６Ａの形状や個数は適宜に決定されるが、家畜から落下してくる糞尿が入り込まないように、穿設位置は図３（ｄ）に示すように補強部材１３の側面や下面に穿設することが望ましい。
【００４１】
ダクト空間１４の上端近辺において、補強部材１３および筒状筐体２には両者を貫通する貫通孔が穿設され、この貫通孔に前記上部開口１５を構成する換気管１５Ａが取り付けられる。換気管１５Ａは、例えば筒状筐体２の外周壁面から水平に突出し、途中で上方に向け屈曲形成されたＬ字状の管からなる。換気管１５Ａは、筒状筐体２の外周壁面を通る鉛直方向に沿う接線１７よりも左右外側に突出しないように設けられている。
【００４２】
以上のように、補強部材１３を、内部に延設方向に沿う中空閉断面のダクト空間１４を有するように形成し、このダクト空間１４は上部開口１５を通して筒状筐体２の外部に連通するとともに下部開口１６を通して筒状筐体２の内部に連通する構成とし、ダクト空間１４を介して筒状筐体２の内外の換気を行うようにすれば、糞尿から発生して筒状筐体２内の下方（糞尿溜め空間７）に淀みやすい硫化水素ガスやアンモニアガスなどが補強部材１３のダクト空間１４を介して外部に排気される。筒状筐体２の内壁面を支持する補強部材１３が換気ダクトの機能も兼ねるため、部品点数の低減が図れ、換気専用の部材を組み付ける必要がなくなるので、畜舎１の組み付け工数が簡略化される。
【００４３】
特に、下部開口１６を床材５よりも下方に位置させることで、硫化水素ガスやアンモニアガスなどが特に溜まりやすい床材５よりも下方（糞尿溜め空間７）の換気を効率的に行うことができる。
【００４４】
また既述したように、筒状筐体２の幅（円筒筐体の直径）は、トラックやトレーラーの荷台に載せて輸送する際に、荷台の幅以内とする道路法規の制約を受ける。この問題に対し、上部開口１５を、円筒形状を呈した筒状筐体２の外周壁面から突出する換気管１５Ａとし、この換気管１５Ａを、鉛直方向に沿う前記外周壁面の接線１７よりも左右外側に突出しないように設ければ、筒状筐体２の直径を荷台の幅ぎりぎりとした場合であっても、換気管１５Ａが荷台からはみ出ることはない。したがって、換気管１５Ａを組み付けた状態でトラックやトレーラーにより筒状筐体２を現地まで輸送できる。
【００４５】
なお、本実施形態ではダクト空間１４を有さない補強部材１２とダクト空間１４を有した補強部材１３とを混在させているが、全てダクト空間１４を有した補強部材１３とする構成にしてもよい。また、図１７に強制排気装置を設けた場合を示す。図１７では、各補強部材１３のダクト空間１４の上部と連通するように筒状筐体２の筒軸方向に延設される天井ダクト１９を設け、天井ダクト１９の端部に強制排気装置としての排気ファン２０を取り付けている。これによれば、排気ファン２０による負圧により、硫化水素ガスやアンモニアガスなどが通気孔１６Ａ（下部開口）からダクト空間１４、上部開口１５（ダクト空間１４と天井ダクト１９との連通部）、天井ダクト１９を通って効率的に外部に排気される。
【００４６】
次に、床材５を支持する床材支持フレーム２１について説明する。図４において、（ａ）は筒状筐体２の正断面図、（ｂ）は（ａ）におけるＤ−Ｄ断面図である。図５は床材５と床材支持フレーム２１の分解斜視図である。
【００４７】
図４および図５を参照して、床材支持フレーム２１は、筒状筐体２の筒軸方向に間隔を空けて並設され、前記筒軸方向と直交する方向に延設される第１床材支持フレーム２２と、この第１床材支持フレーム２２と直交するように並設され、前記筒軸方向に延設される第２床材支持フレーム２３とから構成される。第１床材支持フレーム２２と第２床材支持フレーム２３とは例えばＦＲＰなどの樹脂板から構成される。
【００４８】
第１床材支持フレーム２２は、上部に複数のスリット２２ａが切り欠き形成され、その両端部が筒状筐体２の内周壁面に固定される。第１床材支持フレーム２２の両端部には、筒状筐体２の内周壁面に沿う円弧状のフランジ２２ｃが形成されており、このフランジ２２ｃを筒状筐体２の内周壁面にあてがい、ボルト２４およびナット２５により締結固定することで、第１床材支持フレーム２２が筒状筐体２の内部下方において水平状に取り付けられる。
【００４９】
そして、第２床材支持フレーム２３がその板面を鉛直としてスリット２２ａに落とし込まれることにより、第１床材支持フレーム２２に載置される。床材５の縁部には下方に屈曲した折り返し部５ａが形成されており、第２床材支持フレーム２３の上部に切り欠き形成された凹部２３ａに折り返し部５ａが落とし込まれたうえで、床材５が第２床材支持フレーム２３に載置される。
【００５０】
このように、第１床材支持フレーム２２の両端部を筒状筐体２の内周壁面に固定し、第１床材支持フレーム２２のスリット２２ａに第２床材支持フレーム２３と落とし込む構造の床材支持フレーム２１とすることで、筒状筐体２に対する床材支持フレーム２１の組み付けを迅速かつ簡易に行えるため、畜舎１の製作コストの低減が図れる。
【００５１】
また、第１床材支持フレーム２２として、鉛直の平板に対して膨出部２２ｂを有する形状とし、この膨出部２２ｂの内部において、図４（ｂ）に示すように、すなわち筒状筐体２の筒軸方向と直交する水平方向から見た断面形状として中空閉断面部２６を有する構成とすれば、床材支持フレーム２１全体の強度を簡易な構造で高めることが可能となる。
【００５２】
次に、図１に仮想線で示す柵部材２７について説明する。図６は出入り口８Ａ周りの外観斜視図である。出入り口８Ａには、開閉ドア８（図１）とは別に、出入り口８Ａの下部のみ閉塞して家畜の逃げを防止する柵部材２７がスライド着脱自在に設けられる。側壁３の舎内側において、出入り口８Ａの両縁下部には平断面Ｌ字状のガイド部材２８が鉛直状に取り付けられている。柵部材２７は例えば矩形状の樹脂板からなり、上方からガイド部材２８に差し込まれることで、出入り口８Ａを閉塞する。
【００５３】
このような柵部材２７を設ければ、柵部材２７により家畜の逃げを防止できるので、夏季など、畜舎１内の温度が上昇したときには人の出入り口８Ａの開閉ドア８を開放して通気を行うことができる。柵部材２７はスライド着脱自在なので、取り付けや取り外しが簡単である。
【００５４】
また、柵部材２７をＦＲＰなどの樹脂板とした場合、鉄棒２９を埋め込んだ構造とすれば、柵部材２７の剛性を容易に高めることができる。既述したように、家畜が豚である場合、豚は勢いを付けて突進し柵部材２７に衝突することがあるので、補強としての鉄棒２９を埋め込んだ樹脂板とすることで柵部材２７の損傷を防止できる。鉄棒２９は例えば、「日」の字形状に組まれた状態で柵部材２７に埋め込まれる。
【００５５】
次に、非常換気装置３１について説明する。図１に示すように非常換気装置３１は例えば側壁３に設置され、その場合、各側壁３それぞれに設置してもよいし、一方の側壁３のみに設置してもよい。
【００５６】
「非常換気装置３１の第１実施例」
図７（ａ）、（ｂ）はそれぞれ非常換気装置３１の第１実施例の正断面図、側断面図であり、非常換気口３２を閉じた状態を示している。図８（ａ）、（ｂ）はそれぞれ非常換気装置３１の第１実施例の正断面図、側断面図であり、非常換気口３２を開いた状態を示している。非常換気装置３１は、通常時は開閉板（開閉体）３３により非常換気口３２を閉じており、停電などにより給気ファン９（図１）が停止したときに非常換気口３２を開いて舎内の酸欠を防止する。非常換気装置３１は、通常時に一定水位が保たれる水タンク３４と、開閉板３３自体或いは開閉板３３に係止する開閉用留め具３５と連結し、水タンク３４内に浮く浮き子３６とを備える。開閉板３３は、通常時は浮き子３６が一定水位の水タンク３４に浮くことにより非常換気口３２を閉じ、非常時は水タンク３４から水が抜かれて浮き子３６が下降することによりその下降動作に連動して非常換気口３２を開く。この第１実施例では、浮き子３６を開閉用留め具３５に連結した態様である。
【００５７】
具体的に説明すると、側壁３には開口部３７が穿設され、舎外側にはこの開口部３７を覆うようにカバー３８が取り付けられている。このカバー３８の手前には、畜舎の内外の換気を行うための非常換気口３２が開口形成されており、この非常換気口３２に開閉板３３がヒンジ３９回りに回動自在となるように取り付けられている。カバー３８の上部には貫通孔が穿設されたブラケット４０が設けられ、開閉板３３の上部にも貫通孔が穿設されたブラケット４１が設けられている。通常時は、ブラケット４０、４１の各貫通孔が重なった状態となって各貫通孔に開閉用留め具３５としてのピン４２が差し込まれることで、開閉板３３が非常換気口３２を閉じている
【００５８】
水タンク３４は非常換気口３２の下方に位置して側壁３に取り付けられる。水タンク３４は例えば樹脂製のタンクが好ましい。浮き子３６としてはポリタンクが好ましく、経済性や入手のしやすさの点から市販の灯油用ポリタンクが好適であり、内部に水を入れて姿勢を安定させたうえで水タンク３４内に浮かせるようにする。このポリタンクの取っ手にはワイヤ４３の一端が結わえ付けられるなどして固定されている。ワイヤ４３は適宜に配置したガイドローラ４４やガイドブラケット４５などを介して引き回され、他端が前記ピン４２に固定されている。ワイヤ４３としては耐腐食性に優れた材質のものが好ましく、ステンレスワイヤが好適である。
【００５９】
水タンク３４に連通する給水路４６側には、通常時は開いて給水を可能とし、停電時に閉じて給水を遮断する第１弁（第１電磁弁４７）が設けられ、水タンク３４に連通する排水路４８側には、通常時は閉じて排水を遮断し、停電時に開いて排水を行う第２弁（第２電磁弁４９、５０）が設けられている。第２弁として、第２電磁弁４９、５０の２つの弁を設けた理由は、万が一、一方が損傷して停電時に弁が開かない場合を想定しての措置であり、場合によっては１つだけ設ける構成としてもよい。
【００６０】
水タンク３４内には、通常時の水タンク３４の水位を一定に保つように、給水路４６に接続するボールタップ５１が設けられる。このボールタップ５１としては、トイレのロータンクなどで用いられる公知構造のものを利用でき、フロート５２が一定の水位で浮いているときは給水を遮断し、水位が低下してフロート５２が下がると給水口５１ａから給水し、水位が元に戻ってフロート５２が上昇すると再び給水を遮断する機能を有する。
【００６１】
なお、給水路４６には、メンテナンス用として第１電磁弁４７と並列に手動開閉弁５３が設けられる。また、排水路４８にも、メンテナンス用、特にドレン排水用として第２電磁弁４９、５０と並列に手動開閉弁５４が設けられる。また、水タンク３４内には、水のオーバーフローを防止するオーバーフロー管５５が設けられる。符号５６は水位変動に伴うポリタンク２８の上下移動をガイドするリブを示し、水タンク２５の内部に適宜に形成されている。
【００６２】
以上により、通常時は、第１電磁弁４７が通電により開状態、第２電磁弁４９、５０が通電により閉状態となっており、図７に示すように、ボールタップ５１の機能により水タンク３４の水位が仮想線で示す位置に保たれている。このとき、浮き子３６としてのポリタンクは上昇位置にあり、ワイヤ４３においては若干の弛みなどが生じた状態であり、ピン４２がブラケット４０、４１の貫通孔に差し込まれた状態が維持され、開閉板３３が非常換気口３２を閉じている。
【００６３】
そして、停電になると、通電が切れることにより第１電磁弁４７が閉状態、第２電磁弁４９、５０が開状態となり、水タンク３４の水が排水路４８から排水される。これにより図８に示すように、ポリタンクが下降し、このポリタンクとワイヤ４３で連結したピン４２がブラケット４０、４１の貫通孔から抜かれることにより、開閉板３３が自重により下側に開いて非常換気口３２を開放し、畜舎内外の換気が行われる。
【００６４】
やがて停電が終わり、通電により第１電磁弁４７が開状態、第２電磁弁４９、５０が閉状態に戻ると、ボールタップ５１の給水口５１ａから給水される。水位が戻ってフロート５２が所定位置まで上昇すると、給水口５１ａからの給水が止まる。
【００６５】
以上のように、開閉板３３は、通常時は浮き子３６が一定水位の水タンク３４に浮くことにより非常換気口３２を閉じ、非常時は水タンク３４から水が抜かれて浮き子３６が下降することによりその下降動作に連動して非常換気口３２を開く構成とすれば、開閉板３３の開閉機構として水を介在させたことにより、家畜の糞尿から発生する硫化水素ガスやアンモニアガスによる腐食の影響を何ら受けることなく、長期にわたり非常時における開閉板３３の開動作を確実に行うことができる。水の配管路は自由に設定できることから、排水路４８などの配管を延設させることで、排水動作を行う制御機器（第２電磁弁４９、５０）を非常換気口３２から容易に遠ざけることができ、これら電磁弁の腐食の問題が解消される。
【００６６】
また、開閉板３３自体或いは開閉板３３に係止する開閉用留め具３５（ピン４２）と浮き子３６とをワイヤ４３で連結する構成とすれば、簡易な構造で組み付けの容易な非常換気装置３１となる。
【００６７】
さらに、水タンク３４に連通する給水路４６側に設けられ、通常時は開いて給水を可能とし、停電時に閉じて給水を遮断する第１弁（第１電磁弁４７）と、水タンク３４に連通する排水路４８側に設けられ、通常時は閉じて排水を遮断し、停電時に開いて排水を行う第２弁（第２電磁弁４９、５０）と、を備える構成とすれば、停電時における水タンク３４の排水動作を簡易な構造で実現できる。また、停電が終わったときには水が水タンク３４に自動的に給水される。
【００６８】
また、通常時の水タンク３４の水位を一定に保つボールタップ５１を設けることで、通常時に余計な給水を回避できる。ボールタップ５１を設けない場合、例えばオーバーフロー管５５に常に水を流し、そこから家畜の飲み水に利用したり、他の水系施設に利用するなどの措置をとることができる。
【００６９】
なお、説明した形態では非常換気装置３１を舎外側に設けているが、非常換気装置３１は側壁３の内側、つまり舎内側に設けることも可能である。
【００７０】
「非常換気装置３１の第２実施例」
図９、図１０はそれぞれ非常換気装置３１の第２実施例の正断面図、側断面図であり、図１０の（ａ）、（ｂ）はそれぞれ非常換気口３２を閉じた状態、開いた状態を示している。図１１は図９におけるＥ−Ｅ断面図である。なお、第１実施例と同じ構成部材については、同一の符号を付してその説明は省略する。
【００７１】
本実施例が第１実施例と異なる主な点は、第１実施例が浮き子３６と開閉用留め具３５とをワイヤ４３で連結していたのに対し、本実施例は、浮き子３６と開閉板３３とを連結板６１により連結したことにある。図１０に示すように、側壁３には開口部３７が形成されており、この開口部３７が非常換気口３２を構成する。この非常換気口３２には、開閉板３３がガイド部材６２にガイドされて上下にスライド可能に取り付けられる。図１１に示すように、開閉板３３にはブラケット６４を介してガイドローラ６３が回転可能に取り付けられる。図１０に示すように、開閉板３３の下縁には水平状の連結板６１が形成されており、この連結板６１の下面に例えば接着剤などによりポリタンクなどの浮き子３６が固着されている。
【００７２】
以上により、通常時は、第１電磁弁４７が通電により開状態、第２電磁弁４９、５０が通電により閉状態となっており、図１０（ａ）に示すように、ボールタップ５１の機能により水タンク３４の水位が仮想線で示す位置に保たれている。このとき、浮き子３６としてのポリタンクは上昇位置にあり、開閉板３３も上昇して非常換気口３２を閉じている。
【００７３】
そして、停電になると、通電が切れることにより第１電磁弁４７が閉状態、第２電磁弁４９、５０が開状態となり、水タンク３４の水が排水路４８から排水される。これにより図１０（ｂ）に示すように、ポリタンクが下降し、開閉板３３も下降して非常換気口３２を開放し、畜舎内外の換気が行われる。
【００７４】
この第２実施例では、第１実施例における開閉用留め具３５やワイヤ４３などを要さないため、構造が一層簡単となり、組み付け性に優れた非常換気装置３１となる。
【００７５】
「非常換気装置３１の第３実施例」
図１３（ａ）、（ｂ）は非常換気装置３１の第３実施例の正断面図、側断面図であり、非常換気口３２を閉じた状態を示している。図１４（ａ）、（ｂ）は非常換気装置３１の第３実施例の正断面図、側断面図であり、非常換気口３２を開いた状態を示している。なお、第１実施例と同じ構成部材については、同一の符号を付してその説明は省略する。
【００７６】
側壁３には開口部３７が穿設され、舎外側にはこの開口部３７を覆うようにカバー６５が取り付けられている。このカバー６５の上面には、畜舎の内外の換気を行うための非常換気口３２が開口形成されており、この非常換気口３２に開閉板３３が取り付けられている。開閉板３３にはワイヤ４３の一端が固定されている。ワイヤ４３は適宜に配置したガイドローラ４４やガイドブラケット４５などを介して引き回され、他端が浮き子３６に固定されている。
【００７７】
以上により、通常時は、第１電磁弁４７が通電により開状態、第２電磁弁４９、５０が通電により閉状態となっており、図１３に示すように、ボールタップ５１の機能により水タンク３４の水位が仮想線で示す位置に保たれている。このとき、浮き子３６としてのポリタンクは上昇位置にあり、ワイヤ４３においては若干の弛みなどが生じた状態であり、開閉板３３が自重により非常換気口３２を閉じている。
【００７８】
そして、停電になると、通電が切れることにより第１電磁弁４７が閉状態、第２電磁弁４９、５０が開状態となり、水タンク３４の水が排水路４８から排水される。これにより図１４に示すように、ポリタンクが下降し、ワイヤ４３に引っ張られることにより開閉板３３が上方に回動して非常換気口３２を開放し、畜舎内外の換気が行われる。
【００７９】
次に、筒状筐体２の変形例を図１５、図１６に示す。この例では、図１６に示すように筒状筐体２を屋根板７１と側板７２、７２と底板７３と側壁３、３とから構成した場合を示す。このように本考案において筒状筐体２とは、その定断面形状が一体成形によるものに限られず、一定閉断面を呈することになれば、分割式のものも含むものである。この場合、各筐体（屋根板７１、側板７２、底板７３）を分解した状態で現地までトラックやトレーラーで輸送できる。したがって、ＦＲＰパイプなど一体成形のものに比して、トラックやトレーラーの荷台における道路法規上の制限に関して有利となり、その分、各筐体の形状を大きく設計できる。これにより、断面形状の大きい畜舎を実現できる。本変形例の場合も屋根板７１、側板７２、底板７３、側壁３は全て樹脂製であり、ＦＲＰが好適である。筒状筐体２の姿勢を維持する取り付け台座４もＦＲＰが好適である。
【００８０】
また、図１２は筒状筐体２の部分断面図である。断熱効率を高めるために筒状筐体２は多層構造とすることが望ましく、図１２に示した例は、ＦＲＰなどの樹脂層７４の間に断熱材層７５を入れた３層構造とした場合を示している。断熱材層７５としては、防湿性にも優れた無架橋高発泡ポリエチレンシートが好適であり、図１２では当該シートを４層の多層巻きにした場合を示している。無架橋高発泡ポリエチレンシートとしては、積水化成品工業（社）製ライトロンＳなどが挙げられる。
【００８１】
次に、畜舎１内に冷風を給気するシステムについて図１８を参照して説明する。図１８は冷風給気システムの構成図であり、河川水、湖水、湧き水などを利用する場合を示す。河川水、湖水、湧き水などは先ず貯留分離槽８１に流入させ、網などの内蔵ストレーナでゴミなどを除去する。ゴミなどが除去された水は貯留分離槽８１から管路８２を介して濾材槽８３の濾材室８６に送られる。管路８２における送水は送水ポンプなどを使用してもよいが、単に高低差を利用したものとすれば安価なシステムとなる。
【００８２】
濾材槽８３の内部は、隔壁８４によって濾材８５を内蔵した濾材室８６と空気流入口８７を形成した空気流入室８８とに区画されている。なお、空気流入室８８は濾材槽８３から独立して設けてもよいし、場合によっては空気流入室８８を設けることなしに空気流入口８７を濾材室８６に直接臨ませる構造にしてもよい。濾材室８６の上方空間に位置した管路８２には複数の散水用小孔を有した散水装置８９が取り付けられ、水はこの散水装置８９から下方の濾材８５に向けて散水される。濾材８５としては活性炭、脱臭剤などであり、ネットなどにより適宜な大きさに纏められたものが複数、濾材載置板９０上に流動可能に載置される。濾材載置板９０には、空気および水を通過させる貫通孔が複数穿設されている。濾材室８６における濾材載置板９０の下方空間と空気流入室８８とは、隔壁８４の下部の開口部により互いに連通している。
【００８３】
濾材室８６には、空気の高圧噴射により濾材８５を洗浄するため、複数の噴射孔が穿設された散気管９１が設けられている。濾材槽８３の底部には、散水された水を外部に放流するための放流管９２が設けられる。濾材８５には藻などが付着しやすいので、洗浄する際には、放流管９２に設けた図示しないバルブなどを閉めて濾材室８６内に水を貯め、散気管９１の高圧噴射により各濾材８５を水中で動かしながら洗浄する。また、濾材室８６の上部はダクト９３を介して畜舎１の給気ファン９に連通する。
【００８４】
冷風給気システムは以上の構成からなり、給気ファン９により負圧が発生して、空気流入口８７から流入した空気は空気流入室８８から濾材室８６の下方空間に入り、濾材室８６内を上昇してダクト９３、ダクト１１を介して畜舎１内に給気される。空気は濾材室８６を上昇する過程で散水により冷却されるため、畜舎１には冷やされた空気が供給されることとなり、夏季などにおける畜舎１内の温度上昇を防ぐことができる。濾材８５を設けたことで、水は各濾材８５間を滴りながらゆっくり落下していき、空気は濾材８５間の入り組んだ隙間を通過しながら上昇するので、空気の冷却時間が長くなって空気が効率的に冷却される。
【００８５】
場合によっては、濾材８５を設けない構成、すなわち、冷却水の散水が行われている空間（例えば、濾材８５を取り除いた濾材室８６の空間）に空気を通過させて空気を冷却し、この冷却した空気を畜舎１内に給気する冷風給気システムにしてもよい。
【００８６】
図１９は冷風給気システムの構成図であり、水を循環利用する場合を示す。図１８と同じ構成部材については同一の符号を付してその説明は省略する。無尽蔵に利用できる河川水、湖水、湧き水などの場合と異なり、図１９の冷風給気システムでは、井戸水（場合によっては水道水）を循環利用する。放流管９２の下流端はポンプ槽９４に連通しており、ポンプ槽９４から送られる水は管路９５を通って循環水として再び貯留分離槽８１に送られ、濾材槽８３で空気冷却用の水として使用される。
【００８７】
井戸からの管路９６には電磁弁９７を設けて、貯留分離槽８１などに設けた水温センサと連動させる。すなわち、通常時は電磁弁９７を閉じた状態として循環水のみで空気を冷却させるようにし、濾材室８６における熱交換作用などにより循環水の水温が高くなってその水温を水温センサにより検知すると、電磁弁９７を開いて新たな井戸水を供給する。この構成によれば、水温の上昇を防いだうえで空気冷却用の水を循環利用できる。
【００８８】
図２０は散水装置８９の変形例にかかる冷風給気システムの構成図であり、図２１は当該散水装置８９の平面説明図である。図１８と同じ構成部材については同一の符号を付してその説明は省略する。図２０および図２１における散水装置８９は、濾材室８６の上部において水平状に配設されるパネル９８からなる。パネル９８の縁部には立ち上がり部９８ａが形成され、底には複数の孔９８ｂが穿設されている。なお、管路８２には流量調整バルブ９９が設けられる。この散水装置８９によっても、水がパネル９８の孔９８ｂから落下して濾材８５に散水される。
【００８９】
次に、畜舎１の排気処理システムについて図２２を参照して説明する。図２２は排気処理システムの構成図である。図１８と同じ構成部材については同一の符号を付してその説明は省略する。図１８の冷風給気システムと異なる点は、図１８ではダクト９３が濾材室８６の上部と畜舎１の給気ファン９とにわたって掛け渡されていたのに対し、図２２の排気処理システムでは、ダクト１００が畜舎１に形成された排気口１０１と空気流入室８８の空気流入口８７とにわたって掛け渡されている点である。ダクト１００の途中などには、適宜に畜舎１内に負圧を発生させるように排気ファン（図示せず）が設けられる。
【００９０】
この排気処理システムによれば、糞尿から発生する硫化水素ガスやアンモニアガスなどを含んだ畜舎１内の空気が、ダクト１００などを介して濾材室８６の下方空間に流入し、濾材室８６内を上昇して濾材室８６の上部開口から大気に放出される。硫化水素ガスやアンモニアガス、その他の臭気成分などは濾材室８６を上昇する過程で水や濾材８５により吸収されるため、大気には臭気の少ない空気が放出され、近隣住民に対する環境性が向上する。
【００９１】
場合によっては、濾材８５を設けない構成、すなわち、散水が行われている空間（例えば、濾材８５を取り除いた濾材室８６の空間）に畜舎１からの空気を通過させ、硫化水素ガスやアンモニアガス、その他の臭気成分などを散水状態の水に吸収させて、大気に放出する排気処理システムにしてもよい。
【００９２】
また、排気処理システムにおいても、図１９に示した水を循環利用する態様を用いることができ、図２０、図２１に示したパネル９８からなる散水装置８９も適用できる。
【図面の簡単な説明】
【００９３】
【図１】本考案を適用した畜舎の一例を示す外観斜視図である。
【図２】本考案を適用した畜舎の一例を示す側断面図である。
【図３】（ａ）は筒状筐体の正断面図であり、（ｂ）、（ｃ）、（ｄ）はそれぞれ（ａ）におけるＡ−Ａ断面図、Ｂ−Ｂ断面図、Ｃ−Ｃ断面図である。
【図４】（ａ）は筒状筐体の正断面図、（ｂ）は（ａ）におけるＤ−Ｄ断面図である。
【図５】床材と床材支持フレームの分解斜視図である。
【図６】出入り口周りの外観斜視図である。
【図７】（ａ）、（ｂ）はそれぞれ非常換気装置の第１実施例の正断面図、側断面図であり、非常換気口を閉じた状態を示す。
【図８】（ａ）、（ｂ）はそれぞれ非常換気装置の第１実施例の正断面図、側断面図であり、非常換気口を開いた状態を示す。
【図９】非常換気装置の第２実施例の正断面図である。
【図１０】非常換気装置の第２実施例の側断面図であり、（ａ）、（ｂ）はそれぞれ非常換気口を閉じた状態、開いた状態を示す。
【図１１】図９におけるＥ−Ｅ断面図である。
【図１２】筒状筐体の部分断面図である。
【図１３】（ａ）、（ｂ）は非常換気装置の第３実施例の正断面図、側断面図であり、それぞれ非常換気口を閉じた状態を示す。
【図１４】（ａ）、（ｂ）は非常換気装置の第３実施例の正断面図、側断面図であり、それぞれ非常換気口を開いた状態を示す。
【図１５】筒状筐体の変形例を示す正断面図である。
【図１６】筒状筐体の変形例を示す分解斜視図である。
【図１７】補強部材のダクト空間を利用した換気構造の変形例の説明図であり、（ａ）、（ｂ）はそれぞれ正断面図、側断面図である。
【図１８】冷風給気システムの構成図である。
【図１９】水を循環利用する場合の冷風給気システムの構成図である。
【図２０】散水装置の変形例にかかる冷風給気システムの構成図である。
【図２１】散水装置の変形例を示す平面説明図である。
【図２２】排気処理システムの構成図である。
【符号の説明】
【００９４】
１    畜舎
２    筒状筐体
３    側壁
５    床材
８    開閉ドア
８Ａ  出入り口
１３    補強部材
１４    ダクト空間
１５    上部開口
１６    下部開口
２１    床材支持フレーム
２２    第１床材支持フレーム
２２ａ  スリット
２３    第２床材支持フレーム
２７    柵部材
３１    非常換気装置
３２    非常換気口
３３    開閉板（開閉体）
３４    水タンク
３５    開閉用留め具
３６    浮き子
【図１】
0003143154.tif 000003
【図２】
0003143154.tif 000004
【図３】
0003143154.tif 000005
【図４】
0003143154.tif 000006
【図５】
0003143154.tif 000007
【図６】
0003143154.tif 000008
【図７】
0003143154.tif 000009
【図８】
0003143154.tif 000010
【図９】
0003143154.tif 000011
【図１０】
0003143154.tif 000012
【図１１】
0003143154.tif 000013
【図１２】
0003143154.tif 000014
【図１３】
0003143154.tif 000015
【図１４】
0003143154.tif 000016
【図１５】
0003143154.tif 000017
【図１６】
0003143154.tif 000018
【図１７】
0003143154.tif 000019
【図１８】
0003143154.tif 000020
【図１９】
0003143154.tif 000021
【図２０】
0003143154.tif 000022
【図２１】
0003143154.tif 000023
【図２２】
0003143154.tif 000024